(57)【特許請求の範囲】
【請求項１】
ボトルを起立状態で保持するボトルホルダーと、該ボトルホルダーに保持されたボトルを垂直面上で回動させるボトル回動手段と、該ボトルホルダーに保持されたボトル胴部の一方を押圧する圧力測定器付き第１プッシャーと、該圧力測定器付き第１プッシャーと対向してボトル胴部の他方を押圧する第２プッシャーとを備えたことを特徴とするボトルスクイズ歪試験機。
【請求項２】
前記ボトル胴部の一方を押圧する圧力測定器付き第１プッシャーの先端は、人の親指相当の押圧部を備えるとともに、該第１プッシャーと対向してボトル胴部の他方を押圧する第２プッシャーは人の親指を除く残りの４本の指先を重ねた状態相当の押圧面積の押圧部を備えていることを特徴とする請求項１記載のボトルスクイズ歪試験機。
【請求項３】
前記圧力測定器付き第１プッシャーはプッシャー移動モーターに連結して前進・後退するプッシャー移動ネジを備え、該プッシャー移動ネジに螺合するナット部に連結する枠体状の連動アームに第２プッシャーを取付け、前記圧力測定器付き第１プッシャーと第２プッシャーとが互いに対向状態で前進・後退することを特徴とする請求項１又は２記載のボトルスクイズ歪試験機。
【請求項４】
前記ボトルホルダーに保持されたボトルを所定角度に傾斜させた状態で該ボトルを第１及び第２プッシャーにて押圧した時にボトル外に押出された液量を計量する受皿を上記ボトル下方に設置するとともに該受皿の液量を計測、記録する計測、記録装置を設けたことを特徴とする請求項１、２又は３記載のボトルスクイズ歪試験機。
【発明の詳細な説明】
【０００１】
【産業上の利用分野】
この発明は、化粧品用、せっけん用、洗浄用等各種用途のボトルを任意の角度に設定したり、ボトルの胴部を押して１回の押出しで排出される液量の計測あるいはボトルの胴部を押す回数と一回の押出し量を掛けた積算量等も計量可能としたボトルスクイズ歪試験機に関する。
【０００２】
【従来の技術】
従来、プラスチックボトルに充填した液の押出し量を測定する場合、ボトルを計量台の上に横に置いて上からボトルの胴部を押して液量を計測する方法が行われていた。
【０００３】
しかし、実際、台所で使う洗剤や洗髪時に使用するシャンプー等はボトルの胴部の一方を親指で押さえ、他方の胴部を残りの４本指を添えて液を押出しているのが実情である。
【０００４】
【発明が解決しようとする課題】
本発明者らは上記の点に鑑みて、手の感覚で液体を充填したボトル胴部を押してボトルの復元力を時間で測定できるようにするとともにボトルを任意の角度に保持した状態で液の押出し量を測定できるようにしたボトルスクイズ歪試験機を提供することにある。
【０００５】
【課題を解決するための手段】
上記した課題を解決するために、この発明に係るボトルスクイズ歪試験機は、ボトルを起立状態で保持するボトルホルダーと、該ボトルホルダーに保持されたボトルを垂直面上で回動させるボトル回動手段と、該ボトルホルダーに保持されたボトル胴部の一方を押圧する圧力測定器付き第１プッシャーと、該圧力測定器付き第１プッシャーと対向してボトル胴部の他方を押圧する第２プッシャーとを備えたものである。
【０００６】
請求項１記載のボトルスクイズ歪試験機において、前記ボトル胴部の一方を押圧する圧力測定器付き第１プッシャーの先端は、人の親指相当の押圧部を備えるとともに、該第１プッシャーと対向してボトル胴部の他方を押圧する第２プッシャーは人の親指を除く残りの４本の指先を重ねた状態相当の押圧面積の押圧部を備えているものである。
【０００７】
請求項１又は２記載のボトルスクイズ歪試験機において、前記圧力測定器付き第１プッシャーはプッシャー移動モーターに連結して前進・後退するプッシャー移動ネジを備え、該プッシャー移動ネジに螺合するナット部に連結する枠体状の連動アームに第２プッシャーを取付け、前記圧力測定器付き第１プッシャーと第２プッシャーとが互いに対向状態で前進・後退するものである。
【０００８】
請求項１、２又は３記載のボトルスクイズ歪試験機において、前記ボトルホルダーに保持されたボトルを所定角度に傾斜させた状態で該ボトルを第１及び第２プッシャーにて押圧した時にボトル外に押出された液量を計量する受皿を上記ボトル下方に設置するとともに該受皿の液量を計測、記録する計測、記録装置を設けたものである。
【０００９】
【作用】
この発明は、ボトルホルダーにボトルを起立状態で保持する。次にボトルホルダーに保持されたボトルをボトル回動手段により垂直面上で回動させ、ボトルを所定角度に傾斜させる。次いで圧力測定器付き第１プッシャーを前進させ、ボトルホルダーに保持されたボトル胴部の一方にあらかじめ設定した圧力にて当接させ、次に第２プッシャーをボトルに向けて前進させ、ボトルホルダーに保持されたボトル胴部の他方に当接させる。ボトル胴部に圧力測定器付き第１プッシャーと第２プッシャーとが対向してボトル胴部の両側を同時に押圧すると、ボトルの口から液体が所定量押出され、ボトルの押圧力と液体の押出量を記録、測定する。
【００１０】
前記ボトル胴部の一方を押圧する圧力測定器付き第１プッシャーの先端は、人の親指相当の押圧部によりボトル胴部の一方を押すとともに、第２プッシャーは人の親指を除く残りの４本の指先を重ねた状態相当の押圧面積の押圧部でボトル胴部の他方を押すことにより、実際に人がボトルを手に持って押す感覚で測定するので、より実際の使用感覚での液量及び押圧力測定が出来る。したがって、１回押した時にどのくらいの量が出るかの測定や、ボトル胴部を押した時の圧力と、ボトルの歪量（移動量）  及びボトルが旧位に復する（戻る）時の時間と歪量を測定できる。
【００１１】
プッシャー移動モーターに連結して前進・後退するプッシャー移動ネジにより圧力測定器付き第１プッシャーは直線的な前進・後退が可能となり、またプッシャー移動ネジに螺合するナット部に連結する枠体状の連動アームに第２プッシャーを取付け、前記圧力測定器付き第１プッシャーと第２プッシャーとが互いに対向状態で前進・後退する運動を行うことによって、これまた人の手の感覚でボトルを押すような状態で測定できる。
【００１２】
ボトルホルダーに保持されたボトルを所定角度に傾斜させた状態でそのボトルを第１及び第２プッシャーにより同時に押した時にボトルの口から外に押出された液量を受皿に受けてその重量を計測、記録装置によって計測、記録する。ボトルの傾斜角度の記録や１回で押出される液量や押出し回数×液の押出し量の積算も可能となる。
【００１３】
【実施例】
以下、この発明の一実施例を図面に基づいて詳細に説明する。
１はボトルスクイズ歪試験機で、ボトル２を起立状態で保持するボトルホルダー３と、ボトルホルダー３に保持されたボトル２を垂直面上で回動させるボトル回動手段４と、ボトルホルダー３に保持されたボトル胴部２ａの一方を押圧する圧力測定器付き第１プッシャー４と、圧力測定器付き第１プッシャー４と対向してボトル胴部２ａの他方を押圧する第２プッシャー５とを備えている。
【００１４】
ボトル２は化粧品用、せっけん用、洗浄用等各種用途に使用されるプラスチック製その他の可撓性材料のものが使用される。ボトルホルダー３はボトル２の底部を台上に載置して左右から挟むようにして保持する下ボトルホルダー３ａと、ボトル２の上部である肩部を左右から挟むようにして保持固定する上ボトルホルダー３ｂとを備えており、上下のボトルホルダー３ｂ、３ａでボトル２を起立状態で保持する。６は左右の下ボトルホルダー３ａを開閉する開閉つまみ、７は左右の下ボトルホルダー３ａを上下に調整する上下調整つまみである。８は左右の上ボトルホルダー３ｂを開閉する開閉つまみ、９は左右の上ボトルホルダー３ａを上下に調整する上下調整つまみである。
【００１５】
圧力測定器付き第１プッシャー４はプッシャー用モーター１０及び
プッシャー駆動スプライン軸１１を介してプッシャー移動ネジ１２に回転運動を与え、そのプッシャー移動ネジ１２の先端にボトル２の胴部の一方を押圧する第１プッシャー４を備え、その第１プッシャー４にはボトルの胴部を押す圧力を測定できるロードセル等の圧力測定器を有している。
【００１６】
第２プッシャー５は前進・後退するプッシャー移動ネジ１２に螺合するナット部１３に連結している枠体状の連動アーム１４の前端部内側中央に取付けられている。しかして第１プッシャー４がボトル２の胴部にあらかじめ設定した圧力で当接すると、第１プッシャー４の前進は停止するが、プッシャー移動ネジ１２は回転状態にあるので、プッシャー移動ネジ１２に螺合しているナット部１３がプッシャー移動ネジ１２に沿って後退することとなり、これに伴って第２プッシャー５もボトル２の胴部の他方に向けて前進することとなり、第２プッシャー５の先端がボトル２の胴部の他方に当接することとなる。
【００１７】
ボトル２の胴部の一方を押圧する圧力測定器付き第１プッシャー４の先端は、人の親指相当の押圧部４ａによりボトル胴部の一方を押すようにする。第２プッシャー５は人の親指を除く残りの４本の指先を重ねた状態相当の押圧面積の押圧部５ａでボトル２の胴部の他方を押すようにする。これにより、実際に人がボトルを手に持って押す感覚で測定するので、より実際の使用感覚での液量及び押圧力測定が出来る。
【００１８】
１５はボトルホルダー３に保持されたボトル２を垂直面上で回動させるボトル回動手段である。ボトル回動手段１５は例えば１８０°回転用モーター１６に駆動されて回転する回転用リングギア１７により任意の角度にボトル２を傾斜させることが出来る。
【００１９】
１８はボトル２を第１プッシャー４及び第２プッシャー５にて両側から押圧した時にボトル外に押出された液量を計量する受皿である。この受皿１８はボトル２の口から噴射する液体が外部に飛散しないような飛散防止壁を備えている。ボトル２の下方に設置された受皿１８の液量を計測、記録する計測、記録装置（図示せず）を設ける。この計測、記録装置（図示せず）によりボトル２の口から外に押出された液量を受皿１８に受けてその重量を計測、記録装置によって計測、記録する。ボトルの傾斜角度の記録や１回で押出される液量や押出し回数×液の押出し量の積算も可能となる。
【００２０】
【発明の効果】
以上の説明から明らかなように、この発明は、手の感覚で液体を充填したボトル胴部を押す圧力を測定してボトルの移動量（歪量）、復元時間を測定でき、かつボトルを任意の角度に保持した状態で液の押出し量を測定できるボトルスクイズ歪試験機を提供できる。
【００２１】
また、ボトルを所定角度に傾斜させた状態で１回押した時に、ボトルの口からどの位の量が出るかを測定でき、定量化測定が可能となり、人間が手で押した姿勢で液が何ｇ出るかを測定できる。
【００２２】
ボトルを起立状態で垂直面上でボトルの回転角度を任意に設定可能となり、回転スピードの設定も可能であるため、液の粘性に応じて液の出る量片かを調べることが出来、ボトルの中の移動等によるボトル形状の復元状態を調べることが出来る。したがって、ボトルを起立状態から傾斜させながら胴部を押したり、ボトルを起立状態から所定角度に傾斜させた後に胴部を押すことのいずれの動作も可能であり、またボトルを傾斜させてから起立状態に戻す過程で胴部を押して液量を調べることも可能である。
【図面の簡単な説明】
【図１】本発明に係るボトルスクイズ歪試験機の一実施例を示す斜視図である。
【図２】図１の側面図である。
【図３】図１の平面図である。
【図４】圧力測定器付き第１プッシャーと第２プッシャーとの関係を示す概略説明図である。
【符号の説明】
１・・・ボトルスクイズ歪試験機、
２・・・ボトル、
２ａ・・・ボトル胴部、
３・・・ボトルホルダー、
４・・・圧力測定器付き第１プッシャー、
４ａ・・・人の親指相当の押圧部
５・・・第２プッシャー、
５ａ・・・人の親指を除く残りの４本の指先を重ねた状態相当            の押圧面積の押圧部
６・・・開閉つまみ、
７・・・上下調整つまみ、
８・・・開閉つまみ、
９・・・上下調整つまみ、
１０・・・プッシャー用モーター、
１１・・・プッシャー駆動スプライン軸
１２・・・プッシャー移動ネジ、
１３・・・ナット部、
１４・・・枠体状の連動アーム、
１５・・・ボトル回動手段、
１６・・・１８０°回転用モーター、
１７・・・回転用リングギア、
１８・・・受皿、
【図１】
0003603222.tif 000002
【図２】
0003603222.tif 000003
【図３】
0003603222.tif 000004
【図４】
0003603222.tif 000005